(57)【要約】ユーザが立つための傾斜台と、傾斜台上に立つユーザの上半身を支持するために傾斜台に取り付けられたユーザ上半身支持剛性フレームと、傾斜台に連結された土台であって、土台と傾斜台との間の相対的配向運動を可能にする土台と、を含む、筋肉活性化システム。ユーザ上半身支持剛性フレームによって支持されるとき、ユーザの上半身を円周方向に動かすように、台は、中心点の周りの円弧を実質的に介して、中心点の周りを首振り運動のような動きをするように、適合される。
2019518585.tif 000002
【特許請求の範囲】
【請求項１】
ユーザが立つための傾斜台と、
前記傾斜台上に立つユーザの上半身を支持するために前記傾斜台に取り付けられたユーザ上半身支持剛性フレームと、
前記傾斜台に連結された土台であって、前記連結は、土台と傾斜台との間に、相対的な配向動作を可能にする、前記土台と、
を含む筋肉活性化システムであって、
前記ユーザ上半身支持剛性フレームによって支持されるとき、前記ユーザの上半身を円周方向に動かすように、前記台は、中心点の周りの円弧を実質的に介して、中心点の周りで首振り運動のような動きをするように適合されている、
筋肉活性化システム。
【請求項２】
前記土台は、ユニバーサルジョイントによって前記傾斜台に連結される、請求項１に記載のシステム。
【請求項３】
前記傾斜台は、前記台が首振り運動のような動きをするとき、前記土台と係合する円周リムを含む、請求項１又は請求項２に記載のシステム。
【請求項４】
前記台は、動作中、前記円周リム及びユニバーサルジョイントによって実質的に支持される、請求項３に記載のシステム。
【請求項５】
前記傾斜台は、円周が略円形である、請求項１から請求項４のいずれか一項に記載のシステム。
【請求項６】
前記台は、概して平面であり、前記台の法線軸は、中心点の周りを回転する、請求項１から請求項５のいずれか一項に記載のシステム。
【請求項７】
前記ユーザ上半身支持剛性フレームは、前記ユーザが操作中に把持するための複数の手すりを有するケージ状構造である、請求項１から請求項６のいずれか一項に記載のシステム。
【請求項８】
前記支持フレームは、前記ユーザ下腕を構造的に支持するための下腕保持部をさらに含む、請求項７に記載のシステム。
【請求項９】
前記支持フレームは、パッド付き背中支持体を含む、請求項１から請求項８のいずれか一項に記載のシステム。
【請求項１０】
動きを通じて前記台を駆動する自動台駆動手段をさらに含む、請求項１から請求項９のいずれか一項に記載のシステム。
【請求項１１】
前記自動台駆動手段は、前記台と係合し、前記台の動きを駆動する一連の円周ベアリングを有する回転板に相互接続された電気モータを含む、請求項１０に記載のシステム。
【請求項１２】
前記台は、動作中に実質的に回転しない、請求項１から請求項１１のいずれか一項に記載の複数のシステム。
【請求項１３】
ユーザが立つための台と、
台を支持するための支持土台と、
前記台を前記支持土台に連結する可撓性連結器であって、前記連結器は、前記支持土台と傾斜した前記台との間の相対的な配向動作を可能にする、前記可撓性連結器と、
前記台と前記支持土台との間に配置された第１の電気駆動ユニットであって、前記駆動ユニットは、前記台の底面と前記支持土台の対応する面と係合し、前記可撓性連結器の周りを回転する間に、前記台の底面と、前記支持土台の対応する面とを互いに所定の方向に離して保持する少なくとも１つの係合ユニットを含む、前記第１の電気駆動ユニットと、
を含む、筋肉活性化システム。
【請求項１４】
前記少なくとも１つの係合ユニットは、前記台の前記底面に係合する第１のベアリングと、前記支持土台に係合する第２のベアリングとを含み、前記第１及び第２のベアリングが堅固に相互連結されている、請求項１３に記載の筋肉活性化システム。
【請求項１５】
前記可撓性連結器の垂直位置を上昇及び下降させるための可撓性連結器昇降ユニットをさらに含む、請求項１４に記載の筋肉活性化システム。
【請求項１６】
前記可撓性連結器昇降ユニットは、ウォーム駆動装置を含む、請求項ｘ３に記載の筋肉活性化システム。
【請求項１７】
前記可撓性連結器は、ユニバーサルジョイントを含む、請求項１５に記載の筋肉活性化システム。
【請求項１８】
前記係合ユニットの数は少なくとも２つであり、各前記係合ユニットは、前記台の底面の外側部分に係合する、請求項１６に記載の筋肉活性化システム。
【請求項１９】
前記第１の電気駆動ユニットは、前記台の一部を周囲に対して上昇又は傾斜させるように、前記台の底面と係合する、請求項１７に記載の筋肉活性化システム。
【請求項２０】
前記少なくとも１つの係合ユニットは、前記台の底部の縁に係合して、それを押し下げる、請求項１８に記載の筋肉活性化ユニット。
【請求項２１】
３６０度の運動において略中心点の周りで傾斜するように適合された土台と、
前記土台に関連付けられ、筋肉活性化組立体のユーザを支持するように適合された支持体と、
を含む、筋肉活性化組立体であって
前記筋肉活性化組立体の前記ユーザは、使用中、前記土台に対して実質的に静止した位置にあり、約３６０度の動き又はその一部が傾けられることによって、前記ユーザの身体に力を付与する、
筋肉活性化組立体。
【請求項２２】
前記土台が約３６０度の動きで傾斜するように取り付けられた土台プレート、例えば、略円形の土台プレートを含む、請求項２１に記載の筋肉活性化組立体。
【請求項２３】
前記土台プレートは、水平に対して０度〜２５度、例えば２度〜１８度、５度〜１５度、２度〜２０度、５度〜２０度の角度で傾斜可能である、請求項２２に記載の筋肉活性化組立体。
【請求項２４】
前記土台プレートは、マウント上に傾斜可能に取り付けられ、
前記マウントは、
略中央にユニバーサルジョイントと、
前記土台プレートの外側部分の走行面を支える複数のローラと、
を含む、
請求項２２又は請求項２３に記載の筋肉活性化組立体。
【請求項２５】
中央の前記ユニバーサルジョイント及び／又は前記ローラは、駆動装置に関連付けられる、請求項２４に記載の筋肉活性化組立体。
【請求項２６】
前記土台プレートを上昇及び下降させることによって、前記土台プレートの傾斜の程度を変化させるように適合された高さ調節機構、例えばネジジャッキをさらに備え、前記変化は、ランダム又は制御される、請求項２４又は請求項２５に記載の筋肉活性化組立体。
【請求項２７】
前記土台プレートは、その円周から垂下する円周軌道を備え、前記円周軌道は、前記複数のローラを受け入れ、前記走行面を画定する、請求項２４から請求項２６のいずれか一項に記載の筋肉活性化組立体。
【請求項２８】
前記土台プレートは、略中央に固定ピボットを含み、使用時、前記土台プレートの外周が、前記筋肉活性化組立体が載る表面を支える、請求項２２又は請求項２３に記載の筋肉活性化組立体。
【請求項２９】
前記固定ピボットは、高さ調節可能である、請求項２７に記載の筋肉活性化組立体。
【請求項３０】
前記支持体は、前記土台から延びるフレームを備え、前記フレームは、身体支持部及び少なくとも１つのハンドルを備える、請求項２１から請求項２９のいずれか一項に記載の筋肉活性化組立体。
【請求項３１】
前記フレームの前記身体支持体は、前記土台から延びる直立部を備える、請求項３０に記載の筋肉活性化組立体。
【請求項３２】
前記直立部は、前記土台の外縁に向かって配置される、請求項３１に記載の筋肉活性化組立体。
【請求項３３】
前記直立部は、高さ調節可能である、請求項３１又は請求項３２に記載の筋肉活性化組立体。
【請求項３４】
前記フレームの前記少なくとも１つのハンドルは、前記身体支持体に関連付けられ、前記筋肉活性化組立体のユーザによって保持されるように適合された２つのハンドルを備える、請求項３０から請求項３３のいずれか一項に記載の筋肉活性化組立体。
【請求項３５】
前記ハンドルは、前記身体支持部に関連付けられ、前記土台の上でそこから外向きに延在する、略楕円形のサブフレームを含む、請求項３４に記載の筋肉活性化組立体。
【請求項３６】
前記ハンドルは、調節可能である、請求項３４又は請求項３５に記載の筋肉活性化組立体。
【請求項３７】
前記支持体は、胴体及び背中の筋肉活性化を最大化するために、およそ大腿領域においてユーザを安全に保持するストラップシステムを含む、請求項２１から請求項２９のいずれか一項に記載の筋肉活性化システム。
【請求項３８】
１つ以上のハンドグリップをさらに含む、請求項３７に記載の筋肉活性化システム。
【請求項３９】
前記組立体は、所定の方法で、又はランダムに強度を増加できるように、動作中の前記組立体の傾き、傾斜、及び変化の速度を制御するソフトウェアを備える制御システムをさらに備える、請求項２４から請求項３８のいずれか一項に記載の筋肉活性化組立体。
【請求項４０】
情報を制御システムに伝達するように適合された１つ以上のセンサをさらに含む、請求項３９に記載の筋肉活性化システム。
【請求項４１】
前記１つ以上のセンサは、筋肉活性化組立体のハンドル上に配置され、ハンドルがユーザによって把持されるときに、ユーザによって経験される強度が変更されてもよい、請求項４０に記載の筋肉活性化システム。
【請求項４２】
身体支持体と関連するシートをさらに含み、前記シートは、好ましくは非使用位置に折り畳み可能である、請求項２１から請求項４１のいずれか一項に記載の筋肉活性化組立体。
【請求項４３】
静止位置において、３６０度の動きで略中心点の周りを傾斜するように適合された土台上にユーザを配置し、約３６０度の動き又はその一部で前記土台を傾斜させることにより、前記ユーザに力を付与する、筋肉活性化方法。
【請求項４４】
前記傾斜は、水平に対して２５度までの角度で行われる、請求項４３に記載の筋肉活性化方法。
【請求項４５】
前記土台の傾きの程度を変化させることをさらに含み、前記変化は、ランダム又は制御される、請求項４３又は請求項４４に記載の筋肉活性化方法。
【請求項４６】
多裂筋の訓練を含む、請求項４３から請求項４５のいずれか一項に記載の筋肉活性化方法。
【発明の詳細な説明】
【技術分野】
【０００１】
本発明は、筋肉活性化組立体に関する。より詳細には、本発明は、重力によって人体の筋肉を活性化するように適合された組立体に関する。身体の筋肉を活性化及び調整することに関連する方法も提供される。
【背景技術】
【０００２】
人体の筋肉を活性化するためのエクササイズマシン及び組立体が知られている。負荷トレーニング（筋力トレーニング又はウエイトトレーニングとも呼ばれる）は、筋肉の収縮させるため負荷を使用して、骨格筋の強度、無酸素性持久力、及び大きさを作る、筋肉トレーニングの最も一般的な形態の１つである。負荷トレーニングは、身体の筋肉が負荷に打ち勝つことを要求されるとき、負荷に打ち勝つように働くという原理に基づいている。この形態のトレーニングを採用するエクササイズマシン及び組立体は、一般に、ユーザによる反対の動きに対して、必要な負荷を提供するウェイト又は弾性バンドを備える。
【０００３】
負荷の使用を含まない受動的エクササイズマシン及び組立体も知られている。このような組立体は一般に、関連する身体部分に力又は動きを与えるための外部手段を提供する。例えば、このような組立体は、振動運動又は電気インパルスを身体部分に与えることができる。
【０００４】
本発明は、重力を用いて人体に力を加える他の組立体を提供することを目的とする。重力による力を付与することにより、本発明は、ユーザの胴体筋及びキーバック（ｋｅｙ  ｂａｃｋ）筋肉を活性化する。
【０００５】
胴体強化／持久力トレーニングの潜在的な利益はよく知られており、以下のものを含むがこれらに限定されない:
・バランス、体性知覚
・スポーツパフォーマンスの向上
・ケガの確率の低下
・脊髄の安定性の増加
・姿勢の改善
・腰痛の軽減
【０００６】
先行技術には、筋肉の状態を進めるために身体への重力の効果を利用するエクササイズ動作のための手段によって、人体を身体調整するいくつかのシステムが存在する。例えには、Ｂｒａｎｄｔらの米国特許第３９３６０４７号が含まれ、これは角度可変な傾斜及び回転速度を有する、軸方向回転システムを開示する。他のシステムには、Ｌｉｅの米国特許第４５０９７４３号、Ｃａｒｅｙらの米国特許第６１７６８１７号、Ａｒｎｏｌｄの米国特許第７３７４５２２号、Ｆｅｒｎａｎｄｅｚの米国特許第７９９３２５３号、及びＣｕｒｒｙの米国特許第７６４５２２１号が含まれる。
【０００７】
しばしば、これらのマシンは、次善の結果をもたらす。患者は、台が不規則な動きを受けている間、台上に立つ、及び場合によっては安定化バーにつかまる必要がある。このようにして、患者は、エクササイズの利益を受ける。
【０００８】
明細書全体にわたる背景技術の議論は、そのような技術が広く知られていること、又は当該技術分野における共通の一般知識の一部を形成することを容認するものとみなされるべきではない。
【発明の概要】
【発明が解決しようとする課題】
【０００９】
上述のように、本発明は一般に、重力によって人体の筋肉を活性化するように適合された筋肉活性化組立体に関する。ユーザの筋肉の活性化は、意識的であっても、又は潜在意識的であってもよい。
【課題を解決するための手段】
【００１０】
本発明の第１の態様によれば、ユーザが立つための傾斜台と、傾斜台上に立つユーザの上半身を支持するために傾斜台に取り付けられたユーザ上半身支持剛性フレームと、傾斜台に連結された土台であって、土台と傾斜台との間の相対的配向動作を可能にする土台と、を含む筋肉活性化システムが提供される。ユーザ上半身支持剛性フレームによって支持されるとき、ユーザの上半身を円周方向に動かすように、台は、中心点の周りの円弧を実質的に介して、中心点の周りを首振り運動のような動きを(precession like motion)するように、適合されてもよい。
【００１１】
いくつかの実施形態では、土台は、ユニバーサルジョイントによって傾斜台に連結される。傾斜台は、好ましくは台が首振り運動をするとき、土台と係合する円周リムを含むことができる。好ましくは動作中、台は、円周リム及びユニバーサルジョイントによって実質的に支持されてもよい。傾斜台は、円周が略円形であってもよい。いくつかの実施形態では、台が概して平面であることができ、台に対する垂直軸は、中心点の周りで回転を受ける。
【００１２】
ユーザ上半身支持剛性フレームは、ユーザが操作中に保持するための複数の手すりを有するケージ状構造であってもよい。支持フレームは、ユーザの下腕を構造的に支持するための下腕保持具をさらに含むことがさらに好ましい。支持フレームは、好ましくはパッド付き背中支持体を含んでもよい。
【００１３】
いくつかの実施形態では、動きを通じて台を駆動するための自動台駆動手段が提供される。自動台駆動手段は、台と係合して台の動きを駆動する一連の円周ベアリングを有する回転板に相互接続された電気モータを備えてもよい。
【００１４】
実施形態において、頭部及び身体は、一定の方向に向いて、重心から外れた円周を移動し、身体の自然な重力反応システムを活性化し、潜在的に自身を強化及び治癒する。マシンは、このプロセスが起こることを可能にする動きを提供する。
【００１５】
安全にするために、人は、エクササイズの焦点に応じて、足（スノーブーツ）脚（ストラップ）ウエスト（ベルト）又は手（グリップフレーム）によって運動台上に支持又は固定されてもよい。
【００１６】
いくつかの実施形態では、既存のフレームは剛体であり、運動台に固定される。いくつかの他の実施形態では、マシンが提供できる変数にさらなる寸法を与えるために、運動台と共に異なるプログラムされた様式で動くことができるフレーム、手すりが実現される。
【００１７】
本発明の別の態様によれば、ユーザが立つための台と、台を支持するための支持土台と、台を支持土台に連結し、土台と傾斜した台との間の相対的な向きの動きを可能にする可撓性連結器と、台と支持土台との間に配置された第１の電気駆動ユニットであって、台の底面及び支持土台の対応する表面と係合し、それらを互いに所定の向きに維持し、一方で係合ユニットが可撓性連結器の周りを回転させる少なくとも１つの係合ユニットを含む第１の電気駆動ユニットと、を含む筋肉活性化システムが提供される。
【００１８】
いくつかの実施形態では、少なくとも１つの係合ユニットが台の底面に係合する第１のベアリングと、支持土台に係合する第２のベアリングとを含み、第１及び第２のベアリングは堅固に相互接続されている。システムは、可撓性連結器の垂直位置を上昇及び下降させるための可撓性連結器昇降ユニットをさらに備えることができる。いくつかの実施形態では、可撓性連結器昇降ユニットは、ウォーム駆動部を備える。いくつかの実施形態では、可撓性連結器は、ユニバーサルジョイントを含む。いくつかの実施形態では、係合ユニットの数は少なくとも２つであり、各係合ユニットは、底部台表面の外側部分に係合する。いくつかの実施形態では、第１の電気駆動ユニットが台の一部を周囲に対して上昇又は傾斜させるように、台の底面と係合する。いくつかの実施形態では、少なくとも１つの係合ユニットが台の底部の縁と係合し、それを押し下げる。
【００１９】
本発明のさらなる態様によれば、３６０度の動きにおいて略中心点の周りを傾斜するように適合された土台と、土台に関連付けられ、筋肉活性化組立体のユーザを支持するように適合されたサポートと、を含む、筋肉活性化組立体であって、筋肉活性化組立体のユーザは、使用中、土台に対して実質的に静止した位置にあり、約３６０度の運動又はその一部が傾けられ、それによって、ユーザの身体に力を付与する、筋肉活性化組立体が提供される。
【００２０】
土台の形状は、約３６０度の動き（すなわち、水平面）で傾斜可能である限り、特に限定されない。一実施形態では、土台が約３６０度の動きで傾斜するように取り付けられた土台プレート、例えば略円形の土台プレートを含む。ユーザは、組立体の作動中、土台プレートの傾斜全体にわたって同じ向きを維持する。
【００２１】
特定の実施形態では、土台プレートが水平に対して０度〜２５度、例えば、水平に対して２度〜１８度、５度〜１５度、２度〜２０度、５度〜２０度の角度で傾斜可能である。傾斜の程度が大きいほど、筋肉の活性化がより激しくなることが理解されるのであろう。
【００２２】
土台プレートは、略中央にユニバーサルジョイントと、前記土台プレートの外側部分の走行面に当接する複数のローラとを備え、マウント上に傾斜可能に取り付けられてもよい。あるいは、土台プレートの外側下側部分が複数のローラに当接してもよい。特定の実施形態では、土台プレートの周囲に取り付けられた少なくとも２つのリニアアクチュエータが、傾斜運動を容易にするために提供されてもよい。有利には、土台プレートの軌道運動又は直線運動のいずれかを達成することができる。一例は、ユーザによる筋肉の活性化を促進するために「前方及び後方」又は「側方から側方」のいずれかに傾けることである。
【００２３】
所望であれば、中央ユニバーサルジョイント及び／又はローラは、駆動装置に関連付けられてもよい。これは、筋肉活性化組立体のユーザが限られた強度又は運動能力を有する状況において特に有用であり得ることが想定される。さらに、特定の実施形態では組立体が土台プレートを上昇及び下降させ、それによって土台プレートの傾きの程度を変化させるように適合された高さ調整機構、例えば、ネジジャッキを備え得、この変化はランダムであるか、又は制御される。雌ネジジャッキは、ユニバーサルジョイントが固定位置にとどまっている間に外側ローラ支持リムを上下させることができ、又は外側ローラ支持リムが固定されている間にユニバーサルジョイントを上下させることができる。
【００２４】
他の実施形態では、土台プレートが略中央に固定ピボットを備え、使用時に、土台プレートの外周は、筋肉活性化組立体が載る表面を支持する。この実施形態によれば、固定ピボットは、土台の傾斜角度の調整を容易にするために高さ調整可能であってもよい。
【００２５】
支持体は、ユーザが土台に対して適切な位置に位置し、静止位置にユーザを支持するように適合されている限り、任意の適切な形態をとることができる。例えば、支持部は、座った又は横たわった静止位置にユーザを維持するように適合されてもよいと考えられる。しかし、好ましい実施形態では、支持体がユーザを直立静止位置に維持するように適合される。
【００２６】
一実施形態によれば、支持体は、土台から延びるフレームを備え、このフレームは、身体支持体及び少なくとも１つのハンドルを備える。使用中、ユーザは、身体支持体上に自分自身を配置し、少なくとも１つのハンドルを把持する。一実施形態では、フレームの本体支持体は、前記土台から延びる直立部を備える。直立部は、筋肉活性化組立体のユーザの背中又は胸を受け入れるパッドを備えてもよい。しかし、２つ以上の直立部が設けられてもよく、ユーザの背中又は胸を支持するために直立部の間に延在するクロスバー（任意選択でパッドを有する）が設けられてもよいことが理解されよう。直立部は概して、土台の外縁に向かって配置されるが、有利には、ユーザが組立体の中心垂直軸と軸方向に整列するように（すなわち、土台の旋回点によって決定されるように）、ユーザを配置する。好ましくは、直立部は、高さ調節可能である。これは、様々な高さのユーザによる使用に適した筋肉活性化組立体を提供する。
【００２７】
フレームは、例えば、水平に延び、身体支持部から間隔を置いて配置される単一のハンドルを含み得ることが想定される。この実施形態では、ハンドルがユーザの両手によって把持されてもよい。しかし、好ましい実施形態では、フレームの少なくとも１つのハンドルが身体支持体に関連付けられ、筋肉活性化組立体のユーザによって保持されるように適合された２つのハンドルを備える。例えば、ハンドルは、身体支持体に関連付けられ、そこから土台を越えて外側に延びる略楕円形のサブフレームを備えてもよい。特定の実施形態では、ハンドルが異なる高さ及び腕の手が届くユーザに適応するように調整可能であってもよい。
【００２８】
筋肉活性化組立体は、虚弱者からアスリートの使用に好適であってもよい。このように、多数の異なる支持システムを用いることができる。アスリートによる使用に適切であると考えられる一例は、胴体及び背中の筋肉活性化を最大化するために、およそ大腿領域においてユーザを安全に保持するストラップシステムを含む。この実施形態では、１つ又は複数のハンドグリップにセンサを設けることができる。ハンドグリップは、安全支持機構のみを提供してもよく、組立体が動作している間に使用することを意図していなくてもよい。ハンドグリップは、ユーザによって把持されたときに強度を低減する「スマート」機能を制御システムに提供することができる。アルゴリズムは、組立体が所定の方法で、又はランダムに強度を増加させることができるように、動作中の傾斜、傾斜、及び変化の速度を制御することができる。回転方向の方向は、必要に応じて調整されてもよい。
【００２９】
この点に関して、筋肉活性化システムは一般に、組立体が所定の方法で、又はランダムに強度を増加させ得るように、動作中にその傾き、傾斜、及び変化の速度を制御するソフトウェアを備える制御システムをさらに備えていてもよい。システムは、一般に、制御システムに情報を通信するように適合された１つ又は複数のセンサをさらに含んでもよい。
【００３０】
筋肉活性化組立体は、身体支持部に関連付けられたシートをさらに含んでもよく、シートは、好ましくは非使用位置に折り畳まれてもよい。これは、ユーザが障害に苦しんでいるか、傷害から回復しているか、又は筋肉群の段階的な再活性化を必要とする座りがちなユーザにとって、特に有用であり得る。組立体は、容易な保管のために折り畳み可能であってもよい。
【００３１】
本発明の別の態様によれば、３６０度の動きで略中心点の周りを傾斜するように適合された土台に関連付けられた支持体上に、静止位置にユーザを配置し、約３６０度の動き又はその一部で土台を傾斜させることにより、ユーザの静止位置を維持しながらユーザに力を付与する、ステップを含む、筋肉活性化方法が提供される。
【００３２】
本発明の筋肉活性化組立体の上述の議論と一致して、傾斜は、好ましくは水平に対して２５度までの角度、例えば、水平に対して２度から１８度、５度から１５度、２度から２０度、５度から２０度の角度で行われる。この方法は、土台の傾斜の程度を変化させることをさらに含むことができ、変化はランダム又は制御される。
【００３３】
この方法は、多裂筋の訓練に適していると考えられる。
【００３４】
本明細書全体を通して、文脈が沿わないことを要求しない限り、単語「備える」、又は「備える」もしくは「備える」などの変形は、述べられたステップもしくは要素、整数、又はステップもしくは要素もしくは整数のグループの包含を意味するものと理解されるが、任意の他のステップもしくは要素、整数、又はステップ、要素、又は整数のグループの排除を意味するものではない。したがって、本明細書の文脈において、用語「備える」は包括的な意味で使用され、したがって、「主に含むが、必ずしも単独ではない」ことを意味するものとして理解されるべきである。
【００３５】
本発明は以下に十分に説明され、添付図面に示される特徴及び部品の組み合わせからなり、本発明の範囲から逸脱することなく、又は本発明の利点のいずれかを犠牲にすることなく、詳細における様々な変更がなされ得ることが理解される。
【００３６】
本発明のいくつかの実施形態の様々な態様をさらに明確にするために、本発明のより具体的な説明を、添付の図面に示されるその特定の実施形態を参照することによって行う。これらの図面は本発明の典型的な実施形態のみを示し、したがって、本発明の範囲を限定するものと見なされないことを理解されたい。本発明は、添付の図面を通して、さらなる特異性及び詳細と共に記述及び説明される。
【図面の簡単な説明】
【００３７】
【図１】本発明の実施形態による筋肉活性化組立体の側面図を示す。
【図２】図１の筋肉活性化組立体の正面図を示す。
【図３】図１の筋肉活性化組立体の土台の断面図（Ａ−Ａ）を示す。
【図４】図１の筋肉活性化組立体の別の配向の側面図を示す。
【図５】図４の筋肉活性化組立体の正面図を示す。
【図６】図４の筋肉活性化組立体の土台の断面図（Ｂ−Ｂ）を示す。
【図７】様々な傾斜ピボットを含む、本発明の実施形態による筋肉活性化組立体の側面図を示す。
【図８】図７の筋肉活性化組立体の正面図を示す。
【図９】ユニバーサルジョイントピボット組立体を含む、本発明の実施形態による筋肉活性化組立体の側面図を示す。
【図１０】図９の筋肉活性化組立体の断面図（Ａ−Ａ）を示す。
【図１１】図９の筋肉活性化組立体の土台の側面図を示す。
【図１２】図９の筋肉活性化組立体の土台の正面図を示す。
【図１３】図１２の土台の断面図（Ｂ−Ｂ）を示す。
【図１４】本発明の一実施形態による筋肉活性化組立体の延長した向きの側面図を示す。
【図１５】引き込まれた配向における図１４の筋肉活性化組立体の側面図を示す。
【図１６】図１４の筋肉活性化組立体の斜視図を示す。
【図１７】第１の位置にあるさらなる筋肉活性化組立体の側面斜視図を示す。
【図１８】第２の位置にあるさらなる筋肉活性化組立体の側面斜視図を示す。
【図１９】土台マットの側面透視モデルを示す。
【図２０】土台マット及びスチールフレームの側面斜視図である。
【図２１】土台成形品の側面斜視図である。
【図２２】土台成形品及びマットの側面斜視図を示す。
【図２３】図２３の一部の拡大図を示す。
【図２４】ステム組立体の部分断面側面図である。
【図２５】ステム組立体の側面斜視図である。
【図２６】土台組立体の側面斜視図である。
【図２７】土台組立体の上部の分解斜視図である。
【図２８】上部組立体の側面斜視図を示す。
【図２９】上部組立体の分解斜視図を示す。
【図３０】上部組立体の上部の側面斜視図を示す。
【図３１】上部組立体の上部の分解斜視図を示す。
【図３２】バックパッドの斜視図である。
【図３３】台を通る底部組立体の挿入の側面斜視図を示す。
【図３４】底部組立体と台との相互接続の側面斜視図を示す。
【図３５】底部組立体及び台及び土台の側面斜視図を示す。
【図３６】ユニバーサルジョイントのアタッチメントの拡大図を示す。
【図３７】上部フレーム組立体の分解形態の側面斜視図である。
【図３８】ステム組立体内への上部フレーム組立体の挿入の側面斜視図を示す。
【図３９】フレーム組立体のステム組立体への取り付けを示す。
【図４０】フレーム組立体のステム組立体への取り付けを示す。
【図４１】フレーム組立体のステム組立体への取り付けを示す。
【図４２】筋肉エクササイズマシンのさらなる他の形態を図示する。
【図４３】他の筋肉エクササイズマシンの土台を通る第１の断面図を示す。
【図４４】他の筋肉エクササイズマシンの土台を通る第１の断面図を示す。
【図４５】他の筋肉エクササイズマシンの土台部分のＣＡＤ側面図を示す。
【図４６】他の筋肉エクササイズマシンの土台部分のさらなるＣＡＤ側面図を示す。
【図４７】他の筋肉エクササイズマシンの土台部分のさらなるＣＡＤ断面図を図示する。
【図４８】他の筋肉エクササイズマシンの土台部分のさらなるＣＡＤ断面図を図示する。
【図４９】他の筋肉エクササイズマシンの土台部分のさらなるＣＡＤ断面図を図示する。
【図５０】他の筋肉エクササイズマシンの土台部分のさらなるＣＡＤ断面図を図示する。
【図５１】他の筋肉エクササイズマシンの下部のさらなるＣＡＤ断面図を示す。
【発明を実施するための形態】
【００３８】
以下、本実施の形態に係る本発明を説明する。説明を本発明の実施形態に限定することは、単に本発明の議論を容易にするためのものであり、添付の特許請求の範囲から逸脱することなく想定されることを理解されたい。
【００３９】
図１〜図３を参照すると、筋肉活性化組立体１００が示されている。組立体１００は、土台１１０と、土台１１０に接続されたフレーム１２０と、を含む。この実施形態によれば、土台１１０は、上部表面１１２を有する土台プレート１１１を含み、上部表面１１２上に、組立体１００のユーザが、概して直立位置で立つ。土台１１０は、土台プレート１１１の下側の中央に位置する固定ピボット１１３をまた、含む。図１〜図３に示されるように、ピボット１１３は、土台プレート１１１の外周１１４が組立体１００が載る表面上に載るとき、水平から約６度の傾斜角を提供するように延在する。
【００４０】
この実施形態で示すフレーム１２０は、使用時にユーザの背中又は胸を支持する直立部１２１と、間隔を置いて配置された２つのほぼ楕円形のハンドル１２２と、を含む。楕円形のハンドル１２２は、ユーザが活性化される筋肉に応じて、ある程度、任意の位置で把持できるような形状にされる。支柱１２３は、楕円形ハンドル１２２を直立部１２１に接続するために設けられている。
【００４１】
図４〜図６を参照すると、図１〜図３の組立体が再び図示されているが、この場合、固定ピボット１１３は、延びた向きにある。図示されたピボット１１３の向きは、水平から約１２度の傾斜角度を提供し、これは、組立体１００のユーザにとってより激しい活動をもたらす。
【００４２】
図７及び図８は、やはり土台７１０及びフレーム７２０を含む筋肉活性化組立体７００の側面図及び正面図を提供する。この場合、ピボット７１３ａ〜ｃは、６度の傾き（７１３ａ）、９度の傾き（７１３ｂ）及び１２度の傾き（７１３ｃ）を提供するように適合可能である。
【００４３】
図９〜図１３は、本発明による筋肉活性化組立体９００の他の実施形態を示す。この実施形態では、組立体９００がマシン化された土台９１０を含む。具体的には、土台９１０が上面９１２を有する土台プレート９１１を含む。土台９１１は、先の実施形態の固定ピボットに取って代わる中央ユニバーサルジョイント９１３に取り付けられる。ユニバーサルジョイント９１３は、ジャッキ９１４、この実施形態ではネジ付きジャッキに関連付けられ、このジャッキは、土台プレート９１１を上下させるように適合される。
【００４４】
複数のローラ９１５が設けられている。この実施形態のローラは、土台プレート９１１の下側の外周部分に当接する。しかし、好ましい実施形態では、土台プレート９１１が土台プレート９１１の周縁から垂下するトラック（ｔｒａｃｋ）（図示せず）を含む。略Ｕ字形の軌道はローラ９１５が常に土台プレート９１１に密接に関連付けられるように、ローラ９１５を受け入れる。各ローラ９１５は、二次ローラ９１６に関連している。
【００４５】
図１４〜図１６を参照すると、筋肉活性化組立体１４００の他の実施形態が示されている。この実施形態では、土台１４１０は、上面１４１２及び固定ピボット１４１３を有する略円形の土台プレート１４１１である。土台の構成は、前述の任意の構成と交換できることが理解されよう。
【００４６】
この実施形態では、フレーム１４２０が直立部１４２１及び２つの楕円形ハンドル１４２２を含む。直立材１４２１は、内側及び外側入れ子式部分１４２３、１４２４によって、抜き取られた向き（図１４）と引っ込められた向き（図１５）との間でそれぞれ調整可能である。複数の開口１４２５は、例えばピンを使用して直立材のロックを容易にするために設けられる。背中／胸部レスト１４２６が提供される。ユーザは、主として活性化される筋肉に応じて、背中又は胸部をレスト１４２６に乗せ立つことができる。レスト１４２６は、組立体１４００のユーザがレスト１４２６に対してそれらの胸部又は背中を圧迫するとき、それら体がピボット１４１３と実質的に軸方向に整列するように、配置される。
【００４７】
フレーム１４２０は、略楕円形のハンドル１４２２の周囲の任意の位置でユーザによって把持され得る。所望であれば、追加のハンドル１４２７も提供される。さらに、クロスバー１４２８は、ユーザのための追加の保持点として設けられてもよい。
【００４８】
図１７を参照すると、さらなる実施形態１７００が示されている。この実施形態は、安全マット１７０１上に取り付けられ、土台成形組立体１７０３の下にスチールシャーシ組立体１７０２（図示せず）を含む。立ち上がるための台複合組立体が提供される（１７０４）。上部空間フレーム組立体１７０６は、ステム組立体１７０５を介して台に取り付けられる。上部空間フレームは、背中支持構造１７１０と、アーム支持構造１７１２及び１７１４とを含む。スペースフレーム組立体は、ユーザに支持を提供し、中心ピボット点の周りを回転するように設計される。
【００４９】
図１８は、台１７０４がその周りを旋回し、上部フレームが首振り運動のような動きをするユニバーサルジョイント１７０８の異なる位置の取付を明らかにする、実施形態を明らかにする。
【００５０】
次に、装置１７００の構造について説明する。最初に、図１９に示すように、セーフティマット１７０１が任意の床土台として形成される。図２０を参照すると、マットの上部にスチールシャーシフレーム１７０２が配置されている。フレームは、一連の任意選択のスペーシングディスク１７１６によって水平にすることができる。シャーシ１７０２上には、スペーサ１７１８及びユニバーサルジョイント１７２０がボルト止めされている。この装置は、ジョイントボルトを用いてボルト止めすることができる。
【００５１】
図２１を参照すると、次に、土台成型品１７０３がスチールフレーム上に取り付けられる。土台成形品は、土台の穴に一連のＭ６ネジを手段することによって土台スリップリング１７３０を含む。
【００５２】
図２１のＡは、取り付けのための土台穴１７３２、１７３４を有するインサートを示す。
【００５３】
図２２は、部分的に組み立てられた構成を示し、図２３は、ブーツカバーを有するユニバーサルジョイントの拡大図を示す。土台成型品１７０３は、ネジ山付きネジの手段によってシャーシにしっかりと取り付けられる。
【００５４】
次に、図１７のステム組立体１７０５を組み立てる。図２４は、ステム組立体の一部断面の側面図を示し、図２５は、さらなる側面斜視図を示す。
【００５５】
ステム組立体は、２つの主要な欄から形成され、土台押出成型組立体１７５２及びトップ押出成型組立体１７５４であり、これらは、伸縮構造で一緒に嵌合して、調節可能な高さ特性を提供する。この調節は、制御ノブ及び緩衝器１７５８によって行われる。
【００５６】
図２７は、制御ノブの組み立てを示す。制御ノブは、上部押出成型組立体を土台押出成型組立体にロックするように設計される。
【００５７】
図２８は、組み立てられた形態の上部押出成型組立体を示す。図２９は、上部押出成型組立体を分解斜視図で示す。図２９を参照すると、上部押出成型組立体は、押出成型ステム１７８２と、支持構造１７８４と、カラー１７８６と、伸縮式緩衝ロッド１７８９と、固定ボルト１７９２、１７９０とを含む。
【００５８】
押出成型組立体の上部１８００は、フレーム又はケージ１７０６（図１７）を取り付けるためのスロットを含む。押出成型組立体の上部は、図３０により詳細に示される。取付ブラケットは、図３１の分解斜視図に示すように、側面及び直列クランプ部品を含む。これらは、ケージを支持し、クランプするために使用される。
【００５９】
押出成型組立体の上部の端部１８０１（図３０）には、バックパッド１７１０が取り付けられている。背中パッドは、背中パッドシャーシ１７１１及び取り付けネジ１７１３を含む、図３２により詳細に示される。
【００６０】
図３３に示されるように、ステム組立体１７０５は、台１７０４のスロット１８２０を通って挿入され、プレート部分１８２２は土台１７０４の下側にボルト締めされ、その結果、図３４に示されるようになる。ステム組立体は、予め組み立てられたステムを取り出し、バックパッド及び他の部品をステムの頂部から取り外すことによって挿入され得る。ステム組立体は、ステム土台プレートが台のネジ付きスタッド上に位置するまで、台又は土台のスロットを通って供給される。ステムは、所望の位置に調節される。初期設定は、図に示すように完全に後方にあるべきである。ステムは後方スタッドに２つのＭ１０ナイロックナットを適用し、締め付けることによって所定の位置に固定される。
【００６１】
次に、図３５及び図３６に示すように、台１７０４及びステム１７０５サブ組立体は、ユニジョイントブートを押し下げ、４つの前方スタッドをユニバーサルジョイント１８２４の上部の穴と整列させ、４つのＯＦＦ９５８Ｍ１０ナイロックナットをスタッドにネジ込むことによって、ユニバーサルジョイントに接続される。３．ステムは、リングスパナを使用して４つのナット１８２６をスタッドに締め付けることによって所定の位置に固定される。
【００６２】
次に、上部フレーム組立体を形成することができる。上部フレーム組立体の例は、分解斜視図１７０６で図３７に示される。上部フレーム組立体は、キャップ１８４０、ハンドルスリーブ１８４２、ネジ１８４４、左右アームパッド組立体１７１２、１７１４、ガイドプレート１８４８、及び大型キャップ１８４６を含む。
【００６３】
図３８に示されるように、組み立てられた上部フレーム組立体１７０６は、次いで、ステム組立体１７０５と嵌合され、そこにボルト留めされる。これは、フレームを持ち上げ、２つのガイドプレートをステムの上部にスライドさせることによって行うことができる。
【００６４】
図３９は、フレームをステムに結合する側面及び直列クランプを緩やかに組み付けるプロセスを示す。図４０は、適所へのバックパッドの組み立てを示す。底部の２つのネジは、それらのキーホールスロット内にぴったりと摺動するように調節される。上２本のネジは、しっかりと締め付けられる。次に、図４１において、タワーステムキャップ１８０２を所定の位置にタッピングする。
【００６５】
他の態様も可能である。例えば、土台の回転は、コンピュータ装置の制御下で電気的に制御されてもよい。図４２は、以前のデバイスと同様の方法で動作する１つのそのようなデバイスを図示する
【００６６】
電気制御式実施例ＥＶＥ
【００６７】
図４２を参照すると、電気式のエクササイズマシン４２００が示されている。このマシンは、ユーザが立つ台４２０１を含み、支持ケージ４２０６を保持し、背中又は腹のいずれかの支持のためにバックリセット４２０７を使用する。台は土台４２０２に接続され、覆い４２０３が挿入される。下部ステム・組立体４２０４は上部ステム・組立体４２０５を相互接続し、上部ステム・組立体４２０５は、ケージ４２０６を支持する。電子制御は、タッチセンシティブコンピュータタブレット型デバイス４２０８によって行われる。タブレット４２０８は、ユーザによる起動のための一連の運動タイプのプログラムを提供する。装置４２００は、ユーザの設定に応じて、首振り運動のような動きを受け、所定の角度に曲げられた台で自動的かつ電気的に駆動されるように設計される。
【００６８】
したがって、構成４２００は、手動システムよりも優れた態様を含む。第１は台の制御された動作角度であり、第２は、台の制御された首振り運動である。これら２つの付加の実現は、図４３及び図４４の概略図を参照して議論される。例示的な実施形態では、台の傾斜角度がスクリュードライブによって制御され、首振り運動は、一連のホイールベアリングによって制御される。
【００６９】
図４３に示されるように、台４３０１はユニバーサルジョイント４３０２に接続され、ユニバーサルジョイント４３０２は、電気制御下で台を上昇及び下降させることができるウォーム駆動装置４３０４の頂部に取り付けられる。図４３は下げられた状態の台を示し、図４４は、ウォーム駆動装置４３０４を上げた後の傾斜した状態の台を示す。
【００７０】
台はまた、ベアリング４３０９に相互接続され、支持／ガイド４３０７上で回転し、プレート４３１２によって駆動されるベアリング、例えば４３０８によって支持される。プラッタ４３１２は、電気モータ駆動装置（図示せず）の制御下で回転し、プラッタ４３１２上のベアリング４３０８及び４３０９を駆動し、それによって台４３０１が首振り運動を受けるようにする。
【００７１】
台４３０１は、円周縁４３１０と、動作中にベアリング４３０８の底面と係合するさらなる垂直縁４３０３とを含むことができる。
【００７２】
ユーザによって経験される正味の効果は、予め定められた傾斜及び予め定められた首振り速度での制御された首振りであり、ユーザの体重の大部分はユニバーサルジョイント４３９２によって支持される。
【００７３】
ここで図４５を参照すると、図４２のプロトタイプの一連のＣＡＤ生成ビューのうちの第１のものが示されており、ビュー４５００は、傾斜位置にあるプロトタイプのものであり、土台４２０２、台４２０１、及び下部組立体４２０４を示す。ユニバーサルジョイント４５０１は、不図示のウォーム駆動によって上昇位置に駆動される。ウォーム駆動装置は、ベルト駆動装置によって駆動することができる。
【００７４】
プラッタ４５０２は、第２のベルト駆動装置によって駆動され、４つのベアリングユニット４５０４、４５０６、４５０８、及び４５１０を含む。軸受ユニットは、トラック４５１２上を走行する。２つのベアリングユニット４５０６、４５０４は、プラッタ４５１４の一端を支持する。２つのベアリングユニット４５０８及び４５１０は、軌道４５１２上に支持するための第１のベアリングと、リム４５１７の縁と係合して台４５０１をプラッタ４５１４にユニバーサルジョイント４５０１と共に連結する第２の外側ベアリングとを含む。
【００７５】
再び傾斜位置にある試作品のＣＡＤ生成図を示す図４６を参照すると、内側ベアリング４５１４が支持トラック４５１２の表面と係合し、第２のベアリングがリム４５１７と係合する、内側ベアリング４５１６及び外側ベアリング４５１８を含むベアリングユニット４５１４がより明瞭に示されている。
【００７６】
図４７を参照すると、プロトタイプの土台を通るＣＡＤ生成断面図が示されており、再び、内側ベアリング４５１８及び外側ベアリング４５１６を有し、内側ベアリングが軌道４２１２に沿って走行し、外側ベアリング４５１６が台４２０１の軌道４５１０に沿って走行するテスベアリングユニット４５１４が示されている。図４７はまた、ユニバーサルジョイントの昇降において最終的に得られるウォーム駆動装置４７０２の内側部分を示す
【００７７】
図４８は、図４７と同様の断面図を示す。しかし、この場合、ウォーム駆動装置４７０２は、その土台位置まで下げられ、台４２０１も下げられる。ベアリングは、縁４５１０に係合して、台を下降位置に維持する。
【００７８】
図５０は、図４８と同様の異なる断面図を示す。図４９は、図４７と同様の断面を示す。
【００７９】
さらに、図５１は、土台及び下部支持部材を通るさらなる断面図を示す。
【００８０】
多くの改良が可能である。例えば、上側ケージは、上側組立体との接続部に可動又は可撓性ジョイントを含むことができる。ジョイントは、ユーザの上半身の動きをさらに高めるために、台の首振り運動のような動きと同期するように制御されるように電動化することができる。
【００８１】
文脈上、別段又は具体的に反対に述べられていない限り、本明細書において単数形として列挙される本発明の整数、ステップ又は要素は、列挙される整数、ステップ又は要素の単数形及び複数形の両方を明らかに包含する。
【００８２】
前述の説明は、本発明の例示として与えられたものであり、当業者には明らかなそのような修正及び変形はすべて、本明細書で述べる本発明の広い範囲及び範囲内に入るものとみなされることが理解されよう。
【図１】
2019518585.tif 000003
【図２】
2019518585.tif 000004
【図３】
2019518585.tif 000005
【図４】
2019518585.tif 000006
【図５】
2019518585.tif 000007
【図６】
2019518585.tif 000008
【図７】
2019518585.tif 000009
【図８】
2019518585.tif 000010
【図９】
2019518585.tif 000011
【図１０】
2019518585.tif 000012
【図１１】
2019518585.tif 000013
【図１２】
2019518585.tif 000014
【図１３】
2019518585.tif 000015
【図１４】
2019518585.tif 000016
【図１５】
2019518585.tif 000017
【図１６】
2019518585.tif 000018
【図１７】
2019518585.tif 000019
【図１８】
2019518585.tif 000020
【図１９】
2019518585.tif 000021
【図２０】
2019518585.tif 000022
【図２１】
2019518585.tif 000023
【図２２】
2019518585.tif 000024
【図２３】
2019518585.tif 000025
【図２４】
2019518585.tif 000026
【図２５】
2019518585.tif 000027
【図２６】
2019518585.tif 000028
【図２７】
2019518585.tif 000029
【図２８】
2019518585.tif 000030
【図２９】
2019518585.tif 000031
【図３０】
2019518585.tif 000032
【図３１】
2019518585.tif 000033
【図３２】
2019518585.tif 000034
【図３３】
2019518585.tif 000035
【図３４】
2019518585.tif 000036
【図３５】
2019518585.tif 000037
【図３６】
2019518585.tif 000038
【図３７】
2019518585.tif 000039
【図３８】
2019518585.tif 000040
【図３９】
2019518585.tif 000041
【図４０】
2019518585.tif 000042
【図４１】
2019518585.tif 000043
【図４２】
2019518585.tif 000044
【図４３】
2019518585.tif 000045
【図４４】
2019518585.tif 000046
【図４５】
2019518585.tif 000047
【図４６】
2019518585.tif 000048
【図４７】
2019518585.tif 000049
【図４８】
2019518585.tif 000050
【図４９】
2019518585.tif 000051
【図５０】
2019518585.tif 000052
【図５１】
2019518585.tif 000053
【手続補正書】
【提出日】平成30年7月31日(2018.7.31)
【手続補正１】
【補正対象書類名】特許請求の範囲
【補正対象項目名】全文
【補正方法】変更
【補正の内容】
【特許請求の範囲】
【請求項１】
ユーザが立つための傾斜台と、
前記傾斜台上に立つ又は支持されるユーザの上半身を部分的に囲い支持するために前記傾斜台に接続され取り付けられたユーザ上半身支持剛性フレームと、
前記傾斜台に連結された土台であって、前記連結は、土台と傾斜台との間に、相対的な配向動作を可能にする、前記土台と、
を含む筋肉活性化システムであって、
前記ユーザ上半身支持剛性フレームによって支持されるとき、前記ユーザの上半身を円周方向に動かすように、前記傾斜台は、中心点の周りの円弧を実質的に介して、中心点の周りで首振り運動のような動きをするように適合されている、
筋肉活性化システム。
【請求項２】
前記土台は、ユニバーサルジョイントによって前記傾斜台に連結される、請求項１に記載のシステム。
【請求項３】
前記傾斜台は、第１円周リムを含み、
前記システムは、前記リムに沿って回転するローラベアリングをさらに含み、
前記ローラベアリングは、駆動モータによって実質的に水平に第１円周リムの周りを駆動され、
前記ローラベアリングは、第１の実質的水平レベルに係合している前記第１円周リムの一部をガイドするよう作用し、
前記台の傾斜は、前記第１円周リムの前記一部のローラベアリングガイドと、前記土台と前記傾斜台との前記連結によって、設定される、
請求項１又は請求項２に記載のシステム。
【請求項４】
前記台は、動作中、前記円周リム及びユニバーサルジョイントによって実質的に支持される、請求項３に記載のシステム。
【請求項５】
前記傾斜台の傾斜は、前記土台と前記傾斜台との間の前記連結の上昇と下降とを通じて変更される、請求項１から請求項４のいずれか一項に記載のシステム。
【請求項６】
前記台は、概して平面であり、前記台の法線軸は、中心点の周りを回転する、請求項１から請求項５のいずれか一項に記載のシステム。
【請求項７】
前記ユーザ上半身支持剛性フレームは、前記ユーザが操作中に把持するための複数の手すりを有するケージ状構造である、請求項１から請求項６のいずれか一項に記載のシステム。
【請求項８】
前記支持フレームは、前記ユーザの下腕を構造的に支持するための下腕保持部をさらに含む、請求項７に記載のシステム。
【請求項９】
前記支持フレームは、背中支持体を含む、請求項１から請求項８のいずれか一項に記載のシステム。
【請求項１０】
使用時、前記背中支持体は、システムを使用する際、前記ユーザを垂直軸位置から外すこと強いるように、前記ユーザの背中と係合する、請求項９に記載のシステム。
【請求項１１】
動きを通じて前記傾斜台を駆動する自動台駆動手段をさらに含む、請求項１から請求項１０のいずれか一項に記載のシステム。
【請求項１２】
前記自動台駆動手段は、前記台と係合し、前記台の動きを駆動する一連の円周ベアリングを有する回転板に相互接続された電気モータを含む、請求項１０に記載のシステム。
【請求項１３】
前記台は、動作中に実質的に回転しない、請求項１から請求項１２のいずれか一項に記載のシステム。
【請求項１４】
ユーザが立つため、座るため、又は横たわるための台と、
台を支持するための支持土台と、
前記台を前記支持土台に連結する可撓性連結器であって、前記連結器は、前記支持土台と傾斜した前記台との間の相対的な配向動作を可能にする、前記可撓性連結器と、
前記台と前記支持土台との間に配置された第１の電気駆動ユニットであって、前記駆動ユニットは、前記台の底面と前記支持土台の対応する面と係合し、前記可撓性連結器の周りを回転する間に、前記台の底面と、前記支持土台の対応する面とを互いに所定の方向に離して保持する少なくとも１つの係合ユニットを含む、前記第１の電気駆動ユニットと、
を含む、筋肉活性化システム。
【請求項１５】
前記少なくとも１つの係合ユニットは、前記台の前記底面に係合する第１のベアリングと、前記支持土台に係合する第２のベアリングとを含み、前記第１及び第２のベアリングが堅固に相互連結されている、請求項１４に記載の筋肉活性化システム。
【請求項１６】
前記可撓性連結器の垂直位置を上昇及び下降させるための可撓性連結器昇降ユニットをさらに含む、請求項１５に記載の筋肉活性化システム。
【請求項１７】
前記可撓性連結器昇降ユニットは、ウォーム駆動装置を含む、請求項１６に記載の筋肉活性化システム。
【請求項１８】
前記可撓性連結器は、ユニバーサルジョイントを含む、請求項１６に記載の筋肉活性化システム。
【請求項１９】
前記係合ユニットの数は少なくとも２つであり、各前記係合ユニットは、前記台の底面の外側部分に係合する、請求項１７に記載の筋肉活性化システム。
【請求項２０】
前記第１の電気駆動ユニットは、前記台の一部を周囲に対して上昇又は傾斜させるように、前記台の底面と係合する、請求項１８に記載の筋肉活性化システム。
【請求項２１】
前記少なくとも１つの係合ユニットは、前記台の底部の縁に係合して、それを押し下げる、請求項１９に記載の筋肉活性化ユニット。
【請求項２２】
前記傾斜台に立っている、又は横たわっているユーザの上半身の背中を少なくとも支持する、前記土台に接続され取り付けられた、ユーザ上半身支持剛性フレームをさらに含む、請求項１４に記載の筋肉活性化ユニット。
【請求項２３】
３６０度の運動において略中心点の周りで傾斜するように適合された土台と、
前記土台に関連付けられ、筋肉活性化組立体のユーザを支持するように適合された支持体と、
を含む、筋肉活性化組立体であって
前記筋肉活性化組立体の前記ユーザは、使用中、前記土台に対して実質的に静止した位置にあり、約３６０度の動き又はその一部が傾けられることによって、前記ユーザの身体に力を付与する、
筋肉活性化組立体。
【請求項２４】
前記土台が約３６０度の動きで傾斜するように取り付けられた土台プレート、例えば、略円形の土台プレートを含む、請求項２３に記載の筋肉活性化組立体。
【請求項２５】
前記土台プレートは、水平に対して０度〜２５度、例えば２度〜１８度、５度〜１５度、２度〜２０度、５度〜２０度の角度で傾斜可能である、請求項２４に記載の筋肉活性化組立体。
【請求項２６】
前記土台プレートは、マウント上に傾斜可能に取り付けられ、
前記マウントは、
略中央にユニバーサルジョイントと、
前記土台プレートの外側部分の走行面を支える複数のローラと、
を含む、
請求項２３又は請求項２４に記載の筋肉活性化組立体。
【請求項２７】
中央の前記ユニバーサルジョイント及び／又は前記ローラは、駆動装置に関連付けられる、請求項２６に記載の筋肉活性化組立体。
【請求項２８】
前記土台プレートを上昇及び下降させることによって、前記土台プレートの傾斜の程度を変化させるように適合された高さ調節機構、例えばネジジャッキをさらに備え、前記変化は、ランダム又は制御される、請求項２６又は請求項２７に記載の筋肉活性化組立体。
【請求項２９】
前記土台プレートは、その円周から垂下する円周軌道を備え、前記円周軌道は、前記複数のローラを受け入れ、前記走行面を画定する、請求項２６から請求項２８のいずれか一項に記載の筋肉活性化組立体。
【請求項３０】
前記土台プレートは、略中央に固定ピボットを含み、使用時、前記土台プレートの外周が、前記筋肉活性化組立体が載る表面を支える、請求項２４又は請求項２５に記載の筋肉活性化組立体。
【請求項３１】
前記固定ピボットは、高さ調節可能である、請求項２９に記載の筋肉活性化組立体。
【請求項３２】
前記支持体は、前記土台から延びるフレームを備え、前記フレームは、身体支持部及び少なくとも１つのハンドルを備える、請求項２３から請求項３１のいずれか一項に記載の筋肉活性化組立体。
【請求項３３】
前記フレームの前記身体支持体は、前記土台から延びる直立部を備える、請求項３２に記載の筋肉活性化組立体。
【請求項３４】
前記直立部は、前記土台の外縁に向かって配置される、請求項３３に記載の筋肉活性化組立体。
【請求項３５】
前記直立部は、高さ調節可能である、請求項３３又は請求項３４に記載の筋肉活性化組立体。
【請求項３６】
前記フレームの前記少なくとも１つのハンドルは、前記身体支持体に関連付けられ、前記筋肉活性化組立体のユーザによって保持されるように適合された２つのハンドルを備える、請求項３２から請求項３５のいずれか一項に記載の筋肉活性化組立体。
【請求項３７】
前記ハンドルは、前記身体支持部に関連付けられ、前記土台の上でそこから外向きに延在する、略楕円形のサブフレームを含む、請求項３６に記載の筋肉活性化組立体。
【請求項３８】
前記ハンドルは、調節可能である、請求項３６又は請求項３７に記載の筋肉活性化組立体。
【請求項３９】
前記支持体は、胴体及び背中の筋肉活性化を最大化するために、およそ大腿領域においてユーザを安全に保持するストラップシステムを含む、請求項２３から請求項３１のいずれか一項に記載の筋肉活性化システム。
【請求項４０】
１つ以上のハンドグリップをさらに含む、請求項３９に記載の筋肉活性化システム。
【請求項４１】
前記組立体は、所定の方法で、又はランダムに強度を増加できるように、動作中の前記組立体の傾き、傾斜、及び変化の速度を制御するソフトウェアを備える制御システムをさらに備える、請求項２６から請求項４０のいずれか一項に記載の筋肉活性化組立体。
【請求項４２】
情報を制御システムに伝達するように適合された１つ以上のセンサをさらに含む、請求項４１に記載の筋肉活性化システム。
【請求項４３】
前記１つ以上のセンサは、筋肉活性化組立体のハンドル上に配置され、ハンドルがユーザによって把持されるときに、ユーザによって経験される強度が変更されてもよい、請求項４３に記載の筋肉活性化システム。
【請求項４４】
身体支持体と関連するシートをさらに含み、前記シートは、好ましくは非使用位置に折り畳み可能である、請求項２３から請求項４３のいずれか一項に記載の筋肉活性化組立体。
【請求項４５】
静止位置において、３６０度の動きで略中心点の周りを傾斜するように適合された土台上にユーザを配置し、約３６０度の動き又はその一部で前記土台を傾斜させることにより、前記ユーザに力を付与する、筋肉活性化方法。
【請求項４６】
前記傾斜は、水平に対して２５度までの角度で行われる、請求項４５に記載の筋肉活性化方法。
【請求項４７】
前記土台の傾きの程度を変化させることをさらに含み、前記変化は、ランダム又は制御される、請求項４５又は請求項４６に記載の筋肉活性化方法。
【請求項４８】
多裂筋の訓練を含む、請求項４５から請求項４７のいずれか一項に記載の筋肉活性化方法。
【国際調査報告】
2019518585.tif 000054
2019518585.tif 000055
2019518585.tif 000056
2019518585.tif 000057
2019518585.tif 000058